(57)【要約】【課題】記録再生装置で編集した処理情報を、他の記録再生装置に、ネットワーク経由（メディアも可）で伝送することによって、複数の記録再生装置の間で、編集機能情報を共有できる編集情報共有システムを提供する。【解決手段】コンテンツの編集情報及びプロパティ情報を作成及び送信する記録再生装置１と、該記録再生装置１から提供されるコンテンツの編集情報及びプロパティ情報を受信、蓄積するとともに、当該情報を他の装置に提供するサーバ装置３と、該サーバ装置３から提供されるコンテンツの編集情報及びプロパティ情報を受信し、当該情報に基づきコンテンツに対する編集処理を行う記録再生装置２とから構成される。【選択図】  図１
2007274557.tif 000002
【特許請求の範囲】
【請求項１】
コンテンツの編集情報及びプロパティ情報を作成及び送信する記録再生装置と、
該記録再生装置から提供されるコンテンツの編集情報及びプロパティ情報を受信、蓄積するとともに、当該情報を他の装置に提供するサーバ装置と、
該サーバ装置から提供されるコンテンツの編集情報及びプロパティ情報を受信し、当該情報に基づきコンテンツに対する編集処理を行う記録再生装置とから構成される編集情報共有システム。
【請求項２】
コンテンツの編集情報及びプロパティ情報をサーバ装置自身で作成及び提供するサーバ装置と、
該サーバ装置から提供されるコンテンツの編集情報及びプロパティ情報を受信し、当該情報に基づきコンテンツに対する編集処理を行う記録再生装置とから構成される編集情報共有システム。
【請求項３】
コンテンツの編集情報及びプロパティ情報を作成及び送信する記録再生装置と、
コンテンツの編集情報及びプロパティ情報を受信し、当該情報に基づきコンテンツに対する編集処理を行う記録再生装置とから構成される編集情報共有システム。
【請求項４】
前記情報は、少なくとも録画予約情報、チケット予約情報のいずれかから構成され、当該情報に基づき記録再生装置の制御を行うことを特徴とする請求項１及至３記載の編集情報共有システム。
【発明の詳細な説明】
【技術分野】
【０００１】
本発明は、記録再生装置で編集したコンテンツの編集情報及びコンテンツのプロパティ情報を、他の記録再生装置に伝送し、他の記録再生装置で、同じ編集処理ができることを特徴とする編集情報共有システムに関する。
【背景技術】
【０００２】
従来、複数のユーザによって利用されるビデオ録画再生装置に関し、特に個々のユーザが録画した録画番組を保護すると同時に、ユーザ間における録画番組の共有、削除、ダビング、編集を実現する方法があった。
【０００３】
例えば特許文献１には、これらの方法が記載されている。
【特許文献１】特開２００５−２０３５６号公報
【発明の開示】
【発明が解決しようとする課題】
【０００４】
しかしながら、上述した従来の技術は、従来の記録再生装置では、自装置に記録したコンテンツの編集処理を行う機能はあるが、編集情報を他の記録再生装置に伝送し、他の記録再生装置でも同じ編集処理を行うことができるような機能はなかった。
【０００５】
本発明は上述の事情を考慮してなされたものであり、記録再生装置で編集した処理情報を、他の記録再生装置に、ネットワーク経由（メディアも可）で伝送することによって、複数の記録再生装置の間で、編集機能情報を共有できる編集情報共有システムを提供することを目的とする。
【課題を解決するための手段】
【０００６】
上記課題を解決するため、請求項１に係る発明の編集情報共有システムでは、コンテンツの編集情報及びプロパティ情報を作成及び送信する記録再生装置と、該記録再生装置から提供されるコンテンツの編集情報及びプロパティ情報を受信、蓄積するとともに、当該情報を他の装置に提供するサーバ装置と、該サーバ装置から提供されるコンテンツの編集情報及びプロパティ情報を受信し、当該情報に基づきコンテンツに対する編集処理を行う記録再生装置とを具備することを特徴とする。
【０００７】
請求項２に係る発明の編集情報共有システムでは、コンテンツの編集情報及びプロパティ情報をサーバ装置自身で作成及び提供するサーバ装置と、該サーバ装置から提供されるコンテンツの編集情報及びプロパティ情報を受信し、当該情報に基づきコンテンツに対する編集処理を行う記録再生装置とを具備することを特徴とする。
【０００８】
請求項３に係る発明の編集情報共有システムでは、コンテンツの編集情報及びプロパティ情報を作成及び送信する記録再生装置と、コンテンツの編集情報及びプロパティ情報を受信し、当該情報に基づきコンテンツに対する編集処理を行う記録再生装置とを具備することを特徴とする。
【０００９】
請求項３に係る発明の編集情報共有システムでは、前記情報は、少なくとも録画予約情報、チケット予約情報のいずれかから構成され、当該情報に基づき記録再生装置の制御を行うことを特徴とする。
【発明の効果】
【００１０】
本発明によれば、編集処理情報の送受信手段（メッセージ付き編集処理情報、またはメッセージなし編集処理情報のアップロード/ダウンロード、メール送受信など）を持つことにより、複数の記録再生装置の間で、編集機能情報を共有
できるため、ある記録再生装置で行った編集処理を他の記録再生装置で簡単に利用することができるようなる。
【発明を実施するための最良の形態】
【００１１】
図1は、サーバ−クライアント型の編集情報共有システム及びその記録再生装置（その１）を示す本発明の概要図である。
【００１２】
図１において、本発明の編集情報共有システムは、コンテンツの編集情報及びプロパティ情報を作成及び送信する記録再生装置１と、該記録再生装置１から提供されるコンテンツの編集情報及びプロパティ情報を受信、蓄積するとともに、当該情報を他の装置に提供するサーバ装置３と、該サーバ装置３から提供されるコンテンツの編集情報及びプロパティ情報を受信し、当該情報に基づきコンテンツに対する編集処理を行う記録再生装置２とから構成される。
【００１３】
コンテンツの編集情報及びプロパティ情報のサーバ−クライアント間の送受信方法は、アップロード/ダウンロード、メール送受信などの方法がある。より具体的には、編集情報の送信方法としては以下のような方法が考えられる。
【００１４】
例えばメッセージなし編集情報の自動送信する場合には、ある特定番組の一連の編集操作「Play→編集→Stop」が終わると自動的にサーバにアップロード、もしくは特定のメール指定先に送信する。
【００１５】
一連の編集操作終了時に「サーバにUpload/指定先メールアドレスへ送信/なし」のいずれかのみを選択して送信する等である。
【００１６】
またメッセージ付き編集情報の送信する場合には、編集処理の終了時に、メッセージ（コメント）情報をとともにサーバにUploadまたはメールで
編集情報を送信する。ここではコメント例としてCMカット（または前後への移動）のみ、クライマックスのみピックアップ、○△登場シーンのみ、などが考えられる。
【００１７】
次に、サーバ−クライアント型の編集情報共有システム及びその記録再生装置（その２）を説明する。
【００１８】
コンテンツの編集情報及びプロパティ情報をサーバ装置自身で作成及び提供するサーバ装置３と、該サーバ装置３から提供されるコンテンツの編集情報及びプロパティ情報を受信し、当該情報に基づきコンテンツに対する編集処理を行う記録再生装置３とから構成される。
【００１９】
次に、図２を用いてサーバレス型の編集情報共有システム及びその記録再生装置を説明する。
【００２０】
コンテンツの編集情報及びプロパティ情報を作成及び送信する記録再生装置１と、コンテンツの編集情報及びプロパティ情報を受信し、当該情報に基づきコンテンツに対する編集処理を行う記録再生装置４、５とで構成される。
【００２１】
なお複数の記録再生装置が所属するコミュニティ内で共有する情報として、特に編集情報を例に挙げて実施例の説明を行ったが、これ以外にコミュニティ間で共有する情報として、録画予約情報/チケット予約情報など、さまざまな共有情報が考えられ、これらの共有情報に基づき記録再生装置の制御を行ってもよい。また図３および図４は携帯電話やリモコンを介したこれらの変形例である。
【００２２】
上記のサーバレス、サーバ−クライアント型の編集情報共有システムの双方を同時に利用する形の編集情報共有システムも考えられる。
【００２３】
なお、上記のネットワークを介した情報共有は、
・コミュニティ単位で情報共有
・セグメント単位(VLAN、サブネット/VPN)で情報共有
・家族(ユーザID：父+母-子供)と関連づけて情報共有
などの様々な単位で情報共有範囲が定義できるように設定する情報共有範囲設定手段を持っても良い。コミュニティ単位での情報共有を行う場合、以下のような形が考えられる。ある人がコミュニティに登録すると、
１）コミュニティフォルダを作成と
２）コミュニティ関連情報の配信の有無を確認し、
配信有にすると、コミュニティ関連情報（例えば、ある芸能人関連の番組、コンサート、イベントなどの関連情報）が配信されるとともに、その「コミュニティ関連の予約録画情報」が配信される。その予約録画情報に基づき自動的に録画できる。これにより録画し忘れを防止することができる。
【００２４】
しかもコミュニティで録画コンテンツも共有できているので、編集情報を
利用しようとしたときにコンテンツがないということも防いでくれる効果がある。また予約録画時に、編集情報がアップロードされたら知らせてくれるように設定しておくと、ある人が編集情報をアップすると自動的にダウンロードしてくれる。また、自動的にダウンロードする条件も設定できるようにしてもよい。
【００２５】
このように記録再生装置で編集した処理情報を、他の記録再生装置に、ネットワーク経由（メディアも可）で伝送することによって、複数の記録再生装置の間で、編集機能情報を共有できる。このため、高度な編集処理を行うことができるユーザ（マニア）が、ある記録再生装置で作成し、提供してくれた編集処理情報を入手すれば、編集処理が困難な記録再生装置（ＨＤＤ内蔵デジタルテレビなど）や、高度な編集処理機能を具備しているが、編集処理を行う時間がない人やコンテンツの編集操作が苦手な人などの持つ記録再生装置（ＨＤＤ＆ＤＶＤレコーダーなど）でも、同じ編集処理を行った形で快適に映像コンテンツを楽しむことができる。
【図面の簡単な説明】
【００２６】
【図１】本発明の実施形態に係る編集情報共有システムを示す説明図。
【図２】本発明の実施形態に係る編集情報共有システムを示す説明図。
【図３】本発明の実施形態に係る編集情報共有システムを示す説明図。
【図４】本発明の実施形態に係る編集情報共有システムを示す説明図。
【符号の説明】
【００２７】
１・・・記録再生装置
２・・・記録再生装置
３・・・サーバ装置
４・・・記録再生装置
５・・・記録再生装置
【図１】
2007274557.tif 000003
【図２】
2007274557.tif 000004
【図３】
2007274557.tif 000005
【図４】
2007274557.tif 000006